(57)【要約】  【課題】デザイン性や収納力の変化を有するフレキシビリティが高く、収納力の変化に対応できる強度を有し、使用者の好みに柔軟に対応できる収納装置を提供する。  【解決手段】  フレーム形状を有するフレーム家具２を床面に自立するように立設し、床面と略平行になるように、第１支持体３をフレーム家具２に支持し、床面に支柱５を立設し、支柱５に、床面と略平行になるように第２支持体４を固着し、第２支持体４の他端部を第１支持体３に摺動自在に係合させ、第２支持体４をフレーム家具２に対して出退自在に支持する収納装置１である。【選択図】  図１
2008029525.tif 000002
【特許請求の範囲】
【請求項１】
フレーム形状を有するフレーム家具を床面に自立するように立設し、
前記床面と略平行になるように、第１支持体を前記フレーム家具に支持し、
前記床面に支柱を立設し、
前記支柱に、前記床面と略平行になるように第２支持体を固着し、
前記第２支持体の他端部を前記第１支持体に摺動自在に係合させ、
前記第２支持体を前記フレーム家具に対して出退自在に支持する収納装置。
【請求項２】
前記床面に略垂直となるように一対の第１家具ユニットを立設し、前記床面に略平行となるように第２家具ユニットを前記一対の第１家具ユニットが挟持して前記フレーム家具を構成する請求項１記載の収納装置。
【請求項３】
前記フレーム家具は、略コの字状を有する請求項１から２のいずれか記載の収納装置。
【請求項４】
前記第１家具ユニットおよび第２家具ユニットの少なくとも一つは、嵌合可能な複数の箱体の組み合わせを有する請求項１から３のいずれか記載の収納装置。
【請求項５】
前記複数の箱体の少なくとも一つは、戸棚、開き戸棚および引き出しの少なくとも一つを有する請求項４記載の収納装置。
【請求項６】
前記フレーム家具に挿通孔を開設し、前記第１支持体は、前記挿通孔に挿入されて前記フレーム家具に支持される請求項１から５のいずれか記載の収納装置。
【請求項７】
前記第１支持体が軸方向に有する内部空間に前記第２支持体が係合され、前記第２支持体はハンガーを係止可能に形成される請求項１から６のいずれか記載の収納装置。
【請求項８】
前記第１支持体の両端に挿通孔を開設し、前記第２支持体は両端の前記挿通孔のいずれからでも係合される請求項１から７のいずれか記載の収納装置。
【請求項９】
前記第２支持体は、位置決め具により前記第１支持体との位置関係が固定される請求項１から８のいずれか記載の収納装置。
【請求項１０】
前記第１支持体を固定具により前記フレーム家具に固定する請求項１から９のいずれか記載の収納装置。
【請求項１１】
前記第１支持体に第３家具ユニットを支持する請求項１から１０のいずれか記載の収納装置。
【請求項１２】
前記第１支持体に、車輪が滑走自在なレールを取り付けてなる請求項１から１１のいずれか記載の収納装置。
【請求項１３】
前記支柱にキャスターを取り付けてなる請求項１から１２のいずれか記載の収納装置。
【請求項１４】
床面に略平行である部分を有するフレーム形状を有するフレーム家具と、
前記フレーム家具に設けられた挿通孔により前記床面に略平行に支持された第１支持体と、
前記第１支持体に対して摺動自在に前記第１支持体に係合されると共にハンガーを係止可能な第２支持体と、
前記第２支持体の一端が固着された支柱を備え、
前記フレーム家具の底部と前記支柱の底部が平面を形成し、
前記第２支持体は、前記フレーム家具から前記床面に対して略平行のベクトルにおいて出退自在である収納装置。
【発明の詳細な説明】
【技術分野】
【０００１】
本発明は、使用者の好みや部屋の広さにフレキシブルに対応でき、十分な強度を有した収納装置に関するものである。
【背景技術】
【０００２】
従来より、衣服を整理するハンガーラックや、書籍や小物などを収納する家具などが広く使用されている。ここで、従来においては、使用者は、家具工場で作られたタンスやラックなどを購入し、部屋に配置するしかなかった。このため、収納する衣服の量の多寡や、部屋の広さやデザインの好みなどに適応した家具の選択肢が少なく、使用者の好みに応じた室内空間を構成することが極めて困難であった。また、部屋のデザインなどを考慮せずに作られた家具を部屋に配置するしかないため、狭い部屋の有効活用が困難であった。これは、狭い部屋の多いわが国の事情には非常に不適合であった。
【０００３】
これらの不都合を解消するために、衣服の量の多寡に応じて、掛けられる衣服の量を調整可能なハンガーラックなどが提案されている（例えば、特許文献１、２、３参照）。
【０００４】
特許文献１、２、３は、掛けられるハンガーの量を調整可能なハンガーラックを開示している。
【０００５】
また、狭い部屋を有効に使用するためのフレキシブルな家具も提案されている（例えば特許文献４参照）。加えて、収納量のフレキシビリティを向上させる家具も提案されている（例えば、特許文献５、６参照）。
【０００６】
しかしながら、これらの従来技術には次のような問題があった。
【０００７】
特許文献１〜３に開示されるハンガーラックなどでは、掛けられる衣服の量の調整は可能であるが、その強度については著しく不十分である問題がある。例えばハンガーラックの長さを長くして、掛ける衣服の量が多くなると、当然ながら大きな荷重が掛かりハンガーラックの横棒がたわむ結果となる。十分な強度を確保しようとすると、ハンガーラックが太く重くなるため、使用における不具合やコスト高となる問題が生じる。また、狭い部屋においてハンガーラックを使用すると、部屋が更に狭くなると共に、外観上も好ましくない。もちろん、デザイン上のフレキシビリティも非常に低い問題がある。
【０００８】
一方、特許文献４に開示される家具は、引き出しや整理だななどが一体化されたフレーム状の家具の内部に、衣服を掛けることのできる支持棒を配置し、引き出しなどによる小物の整理と、ハンガーを掛けることによる衣服の整理を同時に可能としている。特許文献４に開示される家具は、特許文献５、６に開示される家具と共に、部屋に合わせたフレキシビリティを考慮している。
【０００９】
しかしながら、特許文献４〜６に開示される家具は、フレーム状の家具の内側に横棒が設けられているため、横棒に衣服が掛けられることによる荷重が、横棒およびフレーム家具全体に内向き（および下向き）に加わり、十分な強度が得られない問題がある。また、支持棒がフレーム状の家具の内側にあるので、衣服を掛けると、その内側の使用がまったくできなくなる。
【００１０】
以上のように、従来の技術における家具や収納装置では、デザイン上のフレキシビリティが悪く、衣服などの量の変化に応じた収納力の上でのフレキシビリティも低く、収納における強度も不十分である問題があった。
【特許文献１】特開平７−１５６６０３号公報
【特許文献２】特開平９−２９０７５７号公報
【特許文献３】特開２００６−２５８７５号公報
【特許文献４】特開２００５−３４９０７１号公報
【特許文献５】特開２００１−２０４５５１号公報
【特許文献６】特開２００３−７９５０６号公報
【発明の開示】
【発明が解決しようとする課題】
【００１１】
そこで本発明は、デザイン性や収納力の変化を有するフレキシビリティが高く、収納力の変化に対応できる強度を有し、使用者の好みに柔軟に対応できる収納装置を提供することを目的とする。
【課題を解決するための手段】
【００１２】
第１の発明に係る収納装置は、フレーム形状を有するフレーム家具を床面に自立するように立設し、床面と略平行になるように、第１支持体をフレーム家具に支持し、床面に支柱を立設し、支柱に、床面と略平行になるように第２支持体を固着し、第２支持体の他端部を第１支持体に摺動自在に係合させ、第２支持体をフレーム家具に対して出退自在に支持する。
【００１３】
この構成により、使用者は好みのより、デザインや使用態様をフレキシブルに決めることができる。また、収納容量の変化が生じても、支持体とフレーム家具の二つのフレーム構造の組み合わせにより、適切に荷重と応力が分散され、高い強度を維持できる。
【００１４】
第２の発明に係る収納装置では、第１の発明に加えて、床面に略垂直となるように一対の第１家具ユニットを立設し、床面に略平行となるように第２家具ユニットを一対の第１家具ユニットが挟持してフレーム家具を構成する。
【００１５】
この構成により、フレーム家具のフレーム形状が容易に形成できると共に、フレーム家具のデザインのフレキシビリティが高まる。
【００１６】
第３の発明に係る収納装置では、第１から第２のいずれかの発明に加えて、フレーム家具は、略コの字状を有する。
【００１７】
この構成により、フレーム家具の強度が高まる。
【００１８】
第４の発明に係る収納装置では、第１から第３のいずれかの発明に加えて、第１家具ユニットおよび第２家具ユニットの少なくとも一つは、嵌合可能な複数の箱体の組み合わせを有する。
【００１９】
この構成により、フレーム家具のデザインや使用態様のフレキシビリティが向上する。
【００２０】
第５の発明に係る収納装置では、第４の発明に加えて、複数の箱体の少なくとも一つは、戸棚、開き戸棚および引き出しの少なくとも一つを有する。
【００２１】
この構成により、フレーム家具の使用態様のバリエーションが広がる。
【００２２】
第６の発明に係る収納装置では、第１から第５のいずれかの発明に加えて、フレーム家具に挿通孔を開設し、第１支持体は、挿通孔に挿入されてフレーム家具に支持される。
【００２３】
この構成により、フレーム家具を貫通する第１支持体は、フレーム家具の梁の役割を有し、フレーム家具の形態安定性や強度を向上させる。
【００２４】
第７の発明に係る収納装置では、第１から第６のいずれかの発明に加えて、第１支持体が軸方向に有する内部空間に第２支持体が係合され、第２支持体はハンガーを係止可能に形成される。
【００２５】
第８の発明に係る収納装置では、第１から第７のいずれかの発明に加えて、第１支持体の両端に挿通孔を開設し、第２支持体は両端の挿通孔のいずれからでも係合される。
【００２６】
これらの構成により、衣服を掛けるための第２支持体の使用態様のバリエーションが豊富になる。結果として、部屋の広さや構造に適した状態を作れる。
【００２７】
第９の発明に係る収納装置では、第１から第８のいずれかの発明に加えて、第２支持体は、位置決め具により第１支持体との位置関係が固定される。
【００２８】
この構成により、衣服掛けとして使用される第２支持体の引き出し状態を安定させることができる。
【００２９】
第１０の発明に係る収納装置では、第１から第９のいずれかの発明に加えて第１支持体を固定具によりフレーム家具に固定する。
【００３０】
この構成により、収納装置の強度がさらに向上する。
【００３１】
第１１の発明に係る収納装置では、第１から第１０のいずれかの発明に加えて、第１支持体に第３家具ユニットを支持する。
【００３２】
この構成により、収納装置の使用態様や収納容量のバリエーションが更に広がる。
【００３３】
第１２の発明に係る収納装置では、第１から第１１のいずれかの発明に加えて、第１支持体に、車輪が滑走自在なレールを取り付けてなる。
【００３４】
この構成により、フレーム家具に囲まれる内部空間にカーテンなどを設置して、プライバシー性を向上させることができる。
【００３５】
第１３の発明に係る収納装置では、第１から第１１のいずれかの発明に加えて、支支柱にキャスターを取り付けてなる。
【００３６】
この構成により、第２支持体の抜き差しが容易になる。
【発明の効果】
【００３７】
本発明によれば、部屋の広さ、使用状態、使用者の好みに応じたフレキシビリティの高い収納装置を提供できる。
【００３８】
また、本発明の収納装置は、高い収納力を提供できる。
【００３９】
また、本発明の収納装置は、荷重と応力のバランスに優れ、優れた強度と耐久性を実現できる。結果として、必要以上に高い材料を使ったり、部材を大きくしたりする必要が無いので、製造コストも低減できる。
【発明を実施するための最良の形態】
【００４０】
以下、図面を参照しながら、本発明の実施の形態を説明する。
【００４１】
（実施の形態１）
図１は、本発明の実施の形態１における収納装置の斜視図である。
【００４２】
（全体概要）
まず、全体の概要について説明する。
【００４３】
収納装置１は、フレーム形状を有するフレーム家具２と、第１支持体３と、第１支持体３に挿入された摺動可能な第２支持体４と、第２支持体４に接続された支柱５を備えている。ここで、支柱５の底部と、フレーム家具２の有する二つの底部７は、平面を形成し、収納装置１全体の設置時の安定を生み出している。
【００４４】
すなわち、フレーム形状を有するフレーム家具２は、床面に自立するように立設されており、床面と略平行になるように第１支持体３がフレーム家具２に指示されている。更に、床面に支柱５を立設して、立設された支柱５に、床面と平行になるように第２支持体４の一端部を固着している。第２支持体４の他端部は、第１支持体３に摺動自在に係合された上で、第２支持体４は、ハンガーを係止可能に形成されている。結果として、第２支持体４は、フレーム家具２に対して出退自在に支持されている。
【００４５】
第１支持体３は、フレーム家具２に設けられた孔８に挿入されており、第１支持体３と第２支持体４の全体（以下、「支持体全体」という）は、フレーム家具２により囲まれた領域と、外側の領域とに渡って伸びている。すなわち、図１に示されるようにフレーム家具２の外にまで支持体全体が貫通している状態である。なお、第１支持体３は、フレーム家具２の梁の役割を有している。この梁の役割により、略コの字状や略ロの字状となるフレーム形状のフレーム家具２の形態が安定的に維持される。また、フレーム家具２に収納物を収納した場合の、フレーム家具２の強度も向上する。
【００４６】
フレーム家具２は、戸棚、開き戸棚、引き出しなどを備えており、ユーザーにとって、種々の利用が可能である。また、これらはユーザーの好みにより組み合わせが自由で、好みの家具を仕立てることができる。更に、フレーム家具２により囲まれた空間は、自由な空間であり、種々の用途に利用できる。例えば、別の家具を配置したり、ソファを置いて居住空間としたり、第１支持体３にハンガーを掛けたりできる。
【００４７】
第２支持体４は、第１支持体３に対して摺動可能であり、フレーム家具２より外に突出することができる。第２支持体４の突出部分には、図１に示されるようにハンガーに吊るされた衣服２０を掛けることが可能である。勿論、衣服２０を掛けないときには、第２支持体４を第１支持体３に差し込んで、フレーム家具２の外側の使用領域を減少できる。
【００４８】
第２支持体４に衣服２０が掛けられた場合には、第２支持体４には下向きの荷重が掛かる。一方、第１支持体３には、この第２支持体４への荷重に反発する荷重が掛かり、支持体全体における荷重分散が図られ、強度が確保できる。当然ながら、フレーム家具２への過重負担も軽減できる。フレーム家具２においては、内向きの力が働くのに対して、支持体全体は、これに反する力が掛かるので、収納装置１全体における荷重バランスが非常に高くなるからである。
【００４９】
また、収納装置１により、ハンガーなどを使って衣服２０を掛けたり、小物類を収納したり、フレーム家具２による特定の居住空間を構成したりなど、部屋の広さや形状、好みに合わせたフレキシブルな収納が実現される。また、衣服２０を掛けることのできる第１支持体３、第２支持体４と、フレーム家具２との力の係り具合のバランスが取られることにより、収納装置１全体での強度と安定性が確保される。
【００５０】
すなわち、収納装置１は、強度と安定性を確保しつつ、ユーザーの好みに合わせたフレキシビリティさを提供できる。
【００５１】
次に、各部の詳細について説明する。
【００５２】
（フレーム家具）
フレーム家具２は、図１に示されるように略コの字状を有していたり略ロの字状を有していたりする。
【００５３】
フレーム家具２は、両側に設けられた一対の第１家具ユニット１１と、一対の第１家具ユニット１１に挟持された第２家具ユニット１０により構成されても良い。第２家具ユニット１０は、一対の第１家具ユニット１１に挟まれるようにしてはめ込まれ（あるいは接続され）全体としてフレーム形状を形成する。なお、図１においては、第２家具ユニット１０は、第１家具ユニット１１の上部にはめ込まれているが、はめ込まれる位置は、適宜決められればよい。
【００５４】
一対の第１家具ユニット１１とこれに挟持される第２家具ユニット１０の組み合わせによりフレーム家具２が構成されることで、フレーム家具２の大きさや形状、デザインのフレキシビリティが高まる。例えば、部屋が狭い場合には、第２家具ユニット１０を短くすることで、フレーム家具２の全体の幅を狭くすることが可能である。
【００５５】
あるいは、部屋の天井高が低い場合（壁に下り天井がある場合など）には、一対の第１家具ユニット１１の高さを低くして、フレーム家具２全体の高さを低くできる。
【００５６】
一対の第１家具ユニット１１と第２家具ユニット１０の少なくとも一つは、相互に嵌合可能な複数の箱体の組み合わせを有していても良い。例えば、引き出しを有する箱体と、開き戸棚を有する箱体が、ほぞなどで相互に嵌合されて第１家具ユニット１１や第２家具ユニット１０を構成しても良い。
【００５７】
フレーム家具２を構成する第１家具ユニット１１と第２家具ユニット１０のそれぞれが、複数の箱体で構成されることで、第１家具ユニット１１と第２家具ユニット１０の形状や大きさのフレキシビリティが高まり、結果としてフレーム家具２の形状、大きさのフレキシビリティが高まる。
【００５８】
複数の箱体の少なくとも一つは、戸棚、開き戸棚、引き出しの少なくとも一つを備えていることも好適である。戸棚を備える箱体と、引き出しを備える箱体が、それぞれ嵌合されて、第１家具ユニット１１や第２家具ユニット１０を構成することで、使用者の好みに合わせたデザインのフレーム家具２が構成される。すなわち、引き出しや、戸棚、開き戸棚などが適宜組み合わされたシステム家具が、フレーム家具２により構成される。
【００５９】
また、図２に示されるように、第２家具ユニット１０が、第１家具ユニット１１の下部にもう一つ接続されて、フレーム家具２全体が略ロの字状に構成されても良い。
【００６０】
もちろん、フレーム家具２は、複数の箱体の組み合わせや第１家具ユニット１１と第２家具ユニット１０の組み合わせではなく、板材により、一体的に構成されても良い。
【００６１】
フレーム家具２には、挿通孔８が設けられ、後述する第１支持体３が挿入される。
【００６２】
（第１支持体と第２支持体）
第１支持体３は、フレーム家具２に設けられた挿通孔８に挿入され、その一端は、挿通孔８と対向する面に固定される。図１に示されるように、第１支持体３は、挿通孔８から挿入され、挿入された端部は、挿通孔８と対向する第１家具ユニット１１の内側の面に固定される。固定は、ねじ止めや接着により行われればよい。また、第１支持体３は、挿通孔８においても、ねじ止めや接着により固定されることが好適である。第１支持体３が、挿通孔８とフレーム家具２と接する部分において固定されることで、第１支持体３が、フレーム形状を有するフレーム家具２の梁の役割を担ってフレーム家具２の強度を向上させると共に、第２支持体４の安定性も高める。
【００６３】
このとき、第１支持体３は、挿通孔８が設けられている第１家具ユニット１１を貫いて設置されていることが好ましい。すなわち、第１家具ユニット１１の外側の端面まで第１支持体３が挿入されていることが好ましい。第１支持体３による、フレーム家具２の強度確保の機能がより向上するからである。
【００６４】
加えて、第１支持体３とフレーム家具２との間を固定する固定具２１を備えていることも好適である。
【００６５】
第２支持体４は、第１支持体３に摺動自在に係合される。
【００６６】
例えば、第１支持体３は内部空間を有しており、この内部空間に挿入や嵌合されるなどして第２支持体４が係合される。内部空間は、第１支持体３に形成された中空でもよいし、第２支持体４に設けられた凸部に嵌合して係合できるレールのような内部空間でもよい。
【００６７】
例えば、第１支持体３は、中空を有するパイプであり、第２支持体４がこのパイプの中空に挿入されることで、摺動自在に係合される。
【００６８】
第２支持体４は、必要に応じて、第１支持体３から引き抜かれる。その結果、フレーム家具２の外部に、第２支持体４が延伸した領域が形成される。この延伸した第２支持体４にハンガーに掛けられた衣服２０を掛けることができる。すなわち、フレーム家具２の内部空間を阻害することなく、衣服をかける領域を確保できる。例えば、フレーム家具２で囲まれた空間（第１支持体３の下部分）には、ソファを置いたり、テレビを置いたりした上で、フレーム家具２の外部空間においては、第２支持体４に衣服を掛けることができ、狭い部屋でも有効に利用できる。
【００６９】
第２支持体４は、摺動自在であるから、衣服を掛ける必要性が無い場合には、第２支持体４は第１支持体３内部に収納されてもよい。これにより、外観をすっきりさせることができる。
【００７０】
なお、第２支持体４は、第１支持体３と同程度の長さを持たせることができるので、かける衣服の量や、部屋の広さに応じて第２支持体４の引き出し量を決めればよい。
【００７１】
また、図２に示されるように、第２支持体４が、第１支持体３から引き出されることから、第１支持体３と第２支持体４との位置関係を固定する位置決め具２２を備えることも好適である。図２は、本発明の実施の形態１における収納装置の一部を示す正面図である。
【００７２】
位置決め具２２は、例えばねじで構成される。使用者は、ねじを締めることにより、第１支持体３と第２支持体４との位置関係を固定する。位置決め具２２により、第１支持体３と第２支持体４の位置関係が固定されることで、衝撃で第２支持体４が第１支持体３から飛び出ることも無くなり、使用上の安全が確保される。
【００７３】
なお、第１支持体３と第２支持体４は、金属や樹脂などの素材で構成され、好適には円筒形状をしていることが好ましいが、角形を有していたり、角形の角部が面取りされた形状を有していても良い。円筒形状を有していることで、ハンガーなどが掛けやすくなるからである。すなわち、第２支持体４は、ハンガーを係止可能に形成されていればよい。
【００７４】
なお、図３に示されるように、第１支持体３は、両端に挿通孔を有しており、第２支持体４が左右いずれの孔からでも挿入可能であることも好適である。２つの挿通孔のいずれか一方から第２支持体４が挿入されたり、両方の挿通孔から、一対の第２支持体４が挿入されたり、収納装置１のデザインのバリエーションが広がるからである。図３は、本発明の実施の形態１における収納装置の一部を示す正面図である。
【００７５】
左右いずれからでも第２支持体４が挿入されることで、収納装置１を設置する部屋の形状などの都合に合わせることができる。また、左右の両方から一対の第２支持体４が挿入されることで、衣服を掛ける領域を、左右に分散させることができる。いずれも使用者の好みや部屋の形状や広さに合わせることができる。
【００７６】
（支柱）
支柱５は、第２支持体４に接続され、第２支持体４を支える。支柱５の底部は、フレーム家具２の底部７と共に、平面を形成する。この結果、フレーム家具２と支柱５に接続される支持体全体により、二つの枠が形成される。この二つの枠の底部が、一つの平面を形成することで、収納装置１全体の、設置時の安定性が非常に高まる。
【００７７】
なお、支柱５の底部には、キャスター６が備えられても良い。キャスター６により、使用者は、支柱５を押すだけで、第２支持体４の摺動ができる。力の弱い女性や子供にとっても、衣服２０を掛ける領域を確保するために第２支持体４の摺動が容易にできる。
【００７８】
（使用状態の説明）
図４を用いて収納装置１の使用状態と、使用時における強度の確保について説明する。図４は、本発明の実施の形態１における収納装置の正面図である。
【００７９】
使用者は、図４に示されるように、第２支持体４を引き出して、引き出された第２支持体４に衣服２０を掛ける。衣服２０は、重量を持っているので、第２支持体４に対して、下向きの荷重を掛ける。第２支持体４に接続される第１支持体３は、第２支持体４との接続点を支点として、下向きに反発する方向（すなわち上向き）に応力が働く。
【００８０】
一方、フレーム家具２は、フレーム形状を有しているので、内向きに応力が働く。しかし、第１支持体３には上向きに応力が働くので、第１支持体３に働く応力と、フレーム家具２に働く応力と、第２支持体４に加わる荷重とは、それぞれ適当なバランスを保つことができる。このため、多量の衣服が第２支持体４に掛けられたとしても、支持体全体への負担が軽減され、支持体全体の製造コストも抑えられる。また、フレーム家具２そのものも、第１支持体３の梁としての働きにより形状安定性が増し、フレーム家具２に収納する用品が多くても、第１支持体３により強度が維持される。
【００８１】
すなわち、フレーム家具２によるフレーム構造と、第１支持体３、第２支持体４、支柱５によるフレーム構造の二つのフレーム構造が組み合わさることで、デザインの自由度を高めつつ、強度も確保できる。また、収納装置１の占める領域に比較して、収納容量も高まるメリットがある。
【００８２】
以上のように、実施の形態１における収納装置１は、フレーム家具２が有する大きさ、形状、デザインのフレキシビリティに加えて、第２支持体４が、フレーム家具２の外部に、衣服２０を掛けるスペースを、使用者の好みに合わせて自由に形成できる。このようなフレキシビリティを提供しつつも、収納装置１全体の強度を向上させることができる。結果として、ユーザビリティが高く、コストも低減できる。
【００８３】
また、本発明の実施の形態１における収納装置１の６面図を、図８〜図１３に示す。
【００８４】
図８は、本発明の実施の形態１における収納装置の正面図である。図９は、本発明の実施の形態１における収納装置の背面図である。図１０は、本発明の実施の形態１における収納装置の平面図である。図１１は、本発明の実施の形態１における収納装置の底面図である。図１２は、本発明の実施の形態１における収納装置の右側面図である。図１３は、本発明の実施の形態１における収納装置の左側面図である。
【００８５】
図８〜図１３により表される６面図により、実施の形態１における収納装置１の構造が明確に把握される。
【００８６】
（実施の形態２）
実施の形態２では、支持体全体が複数ある場合について説明する。
【００８７】
図５は、本発明の実施の形態２における収納装置の斜視図である。図１と同じ符号については、説明を省略する。
【００８８】
図５に示される収納装置１は、２本ずつの第１支持体３と第２支持体４を備えている。フレーム家具２には、２箇所の挿通孔８が設けられ２本の第１支持体３が挿入されて固定されている。この２本の第１支持体３のそれぞれに、第２支持体４が挿入されており、第２支持体４のそれぞれが、摺動可能となっている。第２支持体４のそれぞれには支柱５が接続されており、２本の第２支持体４が、支持されている。
【００８９】
なお、図５においては、２本の第２支持体４が一緒に支柱５に接続されているが、別々の支柱５に接続されてもよい。別々に支柱５が接続されることで、第２支持体４の引き出し量を、２本の第２支持体４のそれぞれで異ならせることができる。
【００９０】
２本の第２支持体４が引き出されることで、衣服を掛ける領域が倍に増える。合わせて、第１支持体３が２本に増えたことで、フレーム家具２に対する強度向上が増加している。
【００９１】
このように、実施の形態２における収納装置１により、強度を増しつつ衣服の収納量を増やすことができる。なお、図５においては、第１支持体３と第２支持体４が２本ずつ備わった構成を示したが、３本以上であっても良い。
【００９２】
（実施の形態３）
次に、実施の形態３について説明する。
【００９３】
実施の形態３では、第１支持体３に第３家具ユニットが設けられた収納装置１について説明する。図６は、本発明の実施の形態３における収納装置の正面図である。図１と同じ符号については説明を省略する。
【００９４】
第３家具ユニット３０は、第１支持体３を支持材として取り付けられている。第３家具ユニット３０は、引き出し、戸棚、開き戸棚などを有する家具ユニットである。
【００９５】
第１支持体３は、フレーム家具２の内部空間に存在する。例えば、使用者の都合によっては、フレーム家具２の内部空間に更に別の収納空間を追加したい場合がある。このとき、第１支持体３は、内部空間において一定の高さを有する位置に、水平に渡って存在しているので、第１支持体３を活用することは効果的である。例えば、使用者の目線に近い位置に収納空間を追加したい場合には、第３家具ユニット３０を第１支持体３に取り付ける。
【００９６】
このようにすることで、収納装置１の収納力を上げることができ、デザインの自由度も高まる。
【００９７】
（実施の形態４）
次に実施の形態４について説明する。
【００９８】
実施の形態４では、第１支持体３は、車輪が滑走可能なレール４０を備えている。図７は、本発明の実施の形態４における収納装置の斜視図である。図１と同じ符号については、説明を省略する。
【００９９】
第１支持体３は、車輪が滑走可能なレール４０を備えている。このレールは、複数の車輪を組み込んで滑走可能にする。例えば、図７に示されるように、複数の車輪にカーテン４１がぶら下がってカーテン４１が開け閉めされる。
【０１００】
例えば、使用者が、フレーム家具２により形成される内部空間のプライバシーを確保したり、カーテン４１によりデザイン性を高めたりしたい場合に有効である。
【０１０１】
もちろん、車輪が滑走可能であるので、ポスターフレームを設置することも可能である。
【０１０２】
このように、実施の形態４における収納家具１によれば、デザイン性やプライバシー性を高めつつ、強度と収納力を高めることができる。
【０１０３】
以上、実施の形態１から４のいずれかの収納装置１は、二つのフレーム構造が組み合わさることで、自由度が高く収納容量に優れたデザインを提供できる。更に、部屋の広さや、使用状態に応じて、衣服を掛ける領域を、フレーム家具２の外部に形成できる。従来の収納装置に比較しても、収納容量が高まり、部屋の状態に合わせたデザインの自由度を得ることができるメリットがある。
【０１０４】
また、従来の収納装置と異なり、衣服を掛けるための支持体部分にかかる荷重と、フレーム家具に掛かる応力のバランスに優れ、優れた強度と耐久性を実現できる。特に、衣服を掛けるための支持体が、フレーム家具の梁の役割もするので、フレーム家具の強度が上がり、フレーム家具そのもののデザイン自由度も広がる。
【０１０５】
また、収納装置１は、その全てが工場で組み立てられて流通されても良く、ユニット毎に分割されて販売されても良く、必要な材料と部材が販売されて、消費者において組み立てられても良い。あるいは、住宅建設において家やマンションなどに予め取り付けられても良い。
【産業上の利用可能性】
【０１０６】
本発明は、例えば、小物や衣服を一緒に収納できるシステム家具などの分野において好適に利用できる。
【図面の簡単な説明】
【０１０７】
【図１】本発明の実施の形態１における収納装置の斜視図
【図２】本発明の実施の形態１における収納装置の一部を示す正面図
【図３】本発明の実施の形態１における収納装置の一部を示す正面図
【図４】本発明の実施の形態１における収納装置の正面図
【図５】本発明の実施の形態２における収納装置の斜視図
【図６】本発明の実施の形態３における収納装置の正面図
【図７】本発明の実施の形態４における収納装置の斜視図
【図８】本発明の実施の形態１における収納装置の正面図
【図９】本発明の実施の形態１における収納装置の背面図
【図１０】本発明の実施の形態１における収納装置の平面図
【図１１】本発明の実施の形態１における収納装置の底面図
【図１２】本発明の実施の形態１における収納装置の右側面図
【図１３】本発明の実施の形態１における収納装置の左側面図
【符号の説明】
【０１０８】
１  収納装置
２  フレーム家具
３  第１支持体
４  第２支持体
５  支柱
６  キャスター
７  底部
８  孔
１０  第２家具ユニット
１１  第１家具ユニット
２０  衣服
【図１】
2008029525.tif 000003
【図２】
2008029525.tif 000004
【図３】
2008029525.tif 000005
【図４】
2008029525.tif 000006
【図５】
2008029525.tif 000007
【図６】
2008029525.tif 000008
【図７】
2008029525.tif 000009
【図８】
2008029525.tif 000010
【図９】
2008029525.tif 000011
【図１０】
2008029525.tif 000012
【図１１】
2008029525.tif 000013
【図１２】
2008029525.tif 000014
【図１３】
2008029525.tif 000015